(57)【要約】【課題】簡単な構造の合紙頁片で合紙頁片の天地を逆にすることによって、頁内の絵柄に変化が生じる頁片と、前記頁片複数枚よりなるひとつ以上の物語をたのしむことができる本を提供することである。【解決手段】前面部材は窓を一つ以上有し、中芯部材は、前記窓を含むように形成された中空部と前記前面部材と対向する面と前記後面部材と対向する面おのおのに形成される貼着部とを有し、さらに前記中芯部材は前記中空部に、前記中空部と左右方向の長さが略等しく、前記中空部の天地方向の長さより天地方向の長さが短く、前記中空部を天地方向に移動可能な移動部材を有し、前記移動部材は前記前面部材の天を上にした状態で、前記前面部材の窓を通じて視認可能な位置に第１の絵柄が描かれ、前記前面部材の地を上にした状態で、前記前面部材の窓を通じて視認可能な位置に第２の絵柄が描かれてなることを特徴とする合紙頁片と前記合紙頁片からなる本。【選択図】図１
2009000899.tif 000002
【特許請求の範囲】
【請求項１】
略同寸法の前面部材と中芯部材と後面部材からなる合紙頁片において、
前記前面部材は窓を一つ以上有し、
前記中芯部材は、前記窓が含まれるような大きさで形成された中空部と前記前面部材と対向する面と前記後面部材と対向する面おのおのに形成される貼着部とを有し、
さらに前記中芯部材は前記中空部に、前記中空部と左右方向の長さが略等しく、前記中空部の天地方向の長さより天地方向の長さが短く、前記中空部を天地方向に移動可能な移動部材を有し、
前記移動部材は、前記前面部材の天又は地となる辺の一方を上にした状態で、前記前面部材の窓を通じて視認可能な位置に第１の情報が印刷され、
前記前面部材の天又は地となる辺の他方を上にした状態では前記視認可能な位置から移動し、その状態で前記前面部材の窓を通じて視認可能な位置に第２の情報が印刷されてなる
ことを特徴とする合紙頁片。
【請求項２】
略同寸法の前面部材と中芯部材と後面部材からなる合紙頁片において、
前記前面部材は第１の窓を一つ以上有し、
前記後面部材は第２の窓を一つ以上有し、
前記中芯部材は、前記窓が含まれるような大きさで形成された中空部と前記前面部材と対向する面と前記後面部材と対向する面おのおのに形成される貼着部とを有し、
さらに前記中芯部材は前記中空部に、前記中空部と左右方向の長さが略等しく、前記中空部の天地方向の長さより天地方向の長さが短く、前記中空部を天地方向に移動可能な移動部材を有し、
前記移動部材は、前記前面部材の天又は地となる辺の一方を上にした状態で、前記前面部材の第１の窓を通じて視認可能な位置に第１の情報が、前記後面部材の第２の窓を通じて視認可能な位置に第２の情報が印刷され、
前記前面部材の天又は地となる辺の他方を上にした状態では前記視認可能な位置から移動し、その状態で前記前面部材の第１の窓を通じて視認可能な位置に第３の情報が、前記後面部材の第２の窓を通じて視認可能な位置に第４の情報が印刷されてなることを特徴とする合紙頁片。
【請求項３】
前記中芯部材は、前記中芯部材の天、小口、地のいずれかに前記移動部材の出し入れ可能な前記移動部材入替手段を有する請求項１乃至２記載の合紙頁片。
【請求項４】
請求項１記載乃至３記載のいずれかの合紙頁片複数枚を一体化してなる本。
【発明の詳細な説明】
【技術分野】
【０００１】
本発明は、天地を逆にすることにより頁内の絵柄に変化が生じる合紙頁片および一冊の本の天地を逆にすることによりひとつ以上の物語や絵を楽しむことができる複数の前記合紙頁片からなる本に関するものである。
【背景技術】
【０００２】
通常、本、特に、絵本において顕著であるが、親が幼児あるいは幼い子供に1回あるいは数回読んであげると幼児や幼い子供はほとんど物語の内容を憶えてしまい、幼児はその絵本に興味、あるいは関心を示さなくなる。
【０００３】
そこで、絵本に動きをつけることによって、幼児あるいは幼い子供に対し、絵本に興味を持たせようというものがある。
【０００４】
例えば、実開昭５３−１２１９２１にあるように絵面（１）の表面に両端を糊付けしたレール（２）を設け、このレール（２）を填め込む穴（４）を有した動画（３）が絵面（１）の表面を動く事のできる絵本が知られている。
【０００５】
動画（３）を動かすには、ニギリ（５）を親指と人差指で掴んで水平方向に動かすものである。
【０００６】
幼児あるいは幼い子供は、ニギリ（５）に興味を示し、親の目を盗んで絵本に触れ、やがてニギリ（５）を壊し、動きのある絵本として機能しないという問題を有していた。
【０００７】
また、動画（３）、絵帯（６）は、絵面（１）より前面に突出しているため、この部分についてもニギリ（５）と同様に幼児あるいは幼い子供に壊されるという問題を有していた。
【０００８】
また、実開昭５３−１２１９２２にあるように絵面（１）の台紙の一部に横長の矩形の穴（２）を設けて、この表面上に動画（３）と裏面支持（６）との間に、連結部分（５）を設けることによって絵面（１）の表面を動く事のできるものが知られている。
【０００９】
動画（３）を動かすには、動画（３）が有する取手（４）を親指と人差指で掴んで水平方向へ動かすものである。
【００１０】
幼児あるいは幼い子供は、取手（４）に興味を示し、親の目を盗んで絵本に触れ、やがて取手（４）を壊し、動きのある絵本として機能しないという問題を有していた。
【００１１】
また、動画（３）は、絵面（１）より前面に突出し、裏面支持（６）は絵面（１）より裏面に突出しているため、この部分についてもニギリ（５）と同様に幼児あるいは幼い子供に壊されるという問題を有していた。
【００１２】
また、ひとつの本で２種の内容を示すものとして、実開平５−２８６６６にあるように天地逆の2種の本を製本したものが知られている。ただし、この本は物語ではなく、カタログであり、本のほぼ中央でそれぞれのカタログが終了している。
【００１３】
さらに、特開平６−１４３８７０にあるように本の右側から読み進んでも、左側から読み進んでも、物語がたのしめるものが知られている。
【００１４】
この文献に書かれているように、右側から読む物語でも左側から読む物語でも本の中央で物語のクライマックスを迎えるように物語を構成する必要がある等、内容的な制約が大きかった。
【００１５】
公知文献を以下に示す。
【特許文献１】実開昭５３−１２１９２１
【特許文献２】実開昭５３−１２１９２２
【特許文献３】実開平５−２８６６６
【特許文献４】特開平６−１４３８７０
【発明の開示】
【発明が解決しようとする課題】
【００１６】
簡単な構造の合紙頁片で合紙頁片の天地を逆にすることによって、頁内の絵柄に変化が生じる頁片と、前記頁片複数枚よりなるひとつ以上の物語を楽しむことができる本を提供することである。
ひとつ以上の物語とは、例えば、左綴じの本であれば、表表紙をめくって、本文を左頁から右頁と順々に読んで行き、裏表紙に達したら本の天地を逆して、天地が逆になった裏表紙から天地が逆になった本文を左頁から右頁と順々に読んでいくが、本の天地を逆にしても物語が続いても構わないし、本の天地を逆にすると別の物語になっても構わないということである。また、物語ではなく、すなわちストーリー性はなくても関連性のある絵を集めたものであってもよい。
【課題を解決するための手段】
【００１７】
本発明は係る課題に鑑みなされたもので、請求項１記載の発明は、略同寸法の前面部材と中芯部材と後面部材からなる合紙頁片において、前記前面部材は窓を一つ以上有し、前記中芯部材は、前記窓が含まれるような大きさで形成された中空部と前記前面部材と対向する面と前記後面部材と対向する面おのおのに形成される貼着部とを有し、さらに前記中芯部材は前記中空部に、前記中空部と左右方向の長さが略等しく、前記中空部の天地方向の長さより天地方向の長さが短く、前記中空部を天地方向に移動可能な移動部材を有し、前記移動部材は、前記前面部材の天又は地となる辺の一方を上にした状態で、前記前面部材の窓を通じて視認可能な位置に第１の情報が印刷され、前記前面部材の天又は地となる辺の他方を上にした状態では前記視認可能な位置から移動し、その状態で前記前面部材の窓を通じて視認可能な位置に第２の情報が印刷されてなることを特徴とする合紙頁片である。
【００１８】
本発明の合紙頁片は、同寸法の前面部材と中芯部材と後面部材からなり、おのおのを貼着することによって構成されている。本発明では、このような構造の頁片を合紙頁片という。
本発明記載の天、地は、出版分野における本の天、地を意味するが、天地を逆にして読む場合を考えると、どちらが天か地かを厳密に判断できない場合もあり得る。
前面部材は、窓を一つ以上有している。この窓の形状、大きさ、前面部材での位置は、後述する移動部材に印刷されている第１および第２の情報の形状、大きさ、移動部材での位置に関係している。
中芯部材は、前記窓が含まれるような大きさで形成された中空部と前面部材と対向する面と後面部材と対向する面おのおのに形成される貼着部とを有している。つまり、この貼着部によって、貼着することにより前面部材と中芯部材と後面部材からなる中空部を有する合紙頁片が出来るのである。
また、「前記窓が含まれるような大きさで形成された中空部」とは、本発明の合紙頁片を窓側から見たときに、中空部の領域に窓が含まれるように形成されている状態を指している。
さらに、移動部材は、中芯部材の中空部内にあり、中空部と左右方向の長さは略等しく、中空部の天地方向の長さより中空部を天地方向に移動可能な程度天地方向の長さが短い。このことにより、移動部材は、中芯部材内の天地方向に移動可能である。
移動部材は、中芯部材の中空部内にセットした時に、前面部材の窓を通じて視認可能な位置に第１の情報が印刷されている。また、前面部材の地を上にした時、すなわち移動部材が中空部内を下方向に移動した時に、前面部材の窓を通じて視認可能な位置に第２の情報が印刷されている。
移動部材の厚みは、中芯部材の厚みと略同じもしくは若干薄くなっている。
本発明の合紙頁片は、前面部材と中空部に移動部材を持つ中芯部材と後面部材が貼着部で貼り合わされたことを特徴としている。
なお、本発明の前面部材と後面部材は、窓の有無が合紙頁片のどちらにあるかを明らかにするための明示に過ぎない。つまり、請求項１記載の発明は、合紙頁片の片面に窓を有するものを指す。
【００１９】
請求項２記載の発明は、略同寸法の前面部材と中芯部材と後面部材からなる合紙頁片において、前記前面部材は第１の窓を一つ以上有し、前記後面部材は第２の窓を一つ以上有し、前記中芯部材は、前記窓が含まれるような大きさで形成された中空部と前記前面部材と対向する面と前記後面部材と対向する面おのおのに形成される貼着部とを有し、さらに前記中芯部材は前記中空部に、前記中空部と左右方向の長さが略等しく、前記中空部の天地方向の長さより天地方向の長さが短く、前記中空部を天地方向に移動可能な移動部材を有し、前記移動部材は、前記前面部材の天又は地となる辺の一方を上にした状態で、前記前面部材の第１の窓を通じて視認可能な位置に第１の情報が、前記後面部材の第２の窓を通じて視認可能な位置に第２の情報が印刷され、前記前面部材の天又は地となる辺の他方を上にした状態では前記視認可能な位置から移動し、その状態で前記前面部材の第１の窓を通じて視認可能な位置に第３の情報が、前記後面部材の第２の窓を通じて視認可能な位置に第４の情報が印刷されてなることを特徴とする合紙頁片である。
【００２０】
前面部材は、第１の窓を一つ以上有している。この第１の窓の形状、大きさ、前面部材での位置は、後述する移動部材に印刷されている第１および第３の情報の形状、大きさ、移動部材での位置に関係している。
後面部材は、第２の窓を一つ以上有している。この第２の窓の形状、大きさ、前面部材での位置は、後述する移動部材に印刷されている第２および第４の情報の形状、大きさ、移動部材での位置に関係している。
中芯部材は、前記窓が含まれるような大きさで形成された中空部と前面部材と対向する面と後面部材と対向する面おのおのに形成される貼着部とを有している。つまり、この貼着部によって、貼着することにより前面部材と中芯部材と後面部材からなる中空部を有する合紙頁片が出来るのである。
また、「前記窓が含まれるような大きさで形成された中空部」とは、本発明の合紙頁片を窓側から見たときに、中空部の領域に窓が含まれるように形成されている状態を指している。
さらに、移動部材は、中芯部材の中空部内にあり、中空部と左右方向の長さは略等しく、中空部の天地方向の長さより中空部を天地方向に移動可能な程度天地方向の長さが短い。このことにより、移動部材は、中芯部材内の天地方向に移動可能である。
移動部材は、中芯部材の中空部内にセットした時に、前面部材の第１の窓を通じて視認可能な位置に第１の情報が印刷されている。また、前面部材の地を上にした時、すなわち移動部材が中空部内を下方向に移動した時に、前面部材の第１の窓を通じて視認可能な位置に第３の情報が印刷されている。
また、移動部材は、中芯部材の中空部にセットした時に、後面部材の第２の窓を通じて視認可能な位置に第２の情報が印刷されている。また、後面部材の地を天にした時、すなわち移動部材が中空部内を下方向に移動した時に、後面部材の第２の窓を通じて視認可能な位置に第４の情報が印刷されている。
移動部材の厚みは、中芯部材の厚みと略同じもしくは若干薄くなっている。
本発明の合紙頁片は、前面部材と中空部に移動部材を持つ中芯部材と後面部材が貼着部で貼り合わされたことを特徴としている。
つまり、請求項２記載の発明は、合紙頁片の両面に窓を有するものを指す。
【００２１】
請求項３記載の発明は、前記中芯部材は、前記中芯部材の天、小口、地のいずれかに前記移動部材の出し入れ可能な前記移動部材入替手段を有する請求項１乃至２記載の合紙頁片である。
【００２２】
本発明の中芯部材は、中芯部材の天に移動部材が出し入れ可能な移動部材入替手段を有するか、小口に移動部材が出し入れ可能な移動部材入替手段を有するか、地に移動部材が出し入れ可能な移動部材入替手段を有しているため、移動部材の出し入れが可能である。
移動部材入替手段とは、例えば、中芯部材に設けられた蓋があげられる。この蓋は取り外し可能であってもよい。
【００２３】
請求項４記載の発明は、請求項１記載乃至３記載のいずれかの合紙頁片複数枚を一体化してなる本である。
【００２４】
請求項１記載乃至３記載の合紙頁片のいずれかのみ、あるいは任意の組合せからなる本である。
合紙頁片の任意の組み合わせによって、本の天地を逆にした際に、幼児あるいは幼い子供に対して驚きを演出することが可能である。
また、本発明の本は、無線綴じ等の製本手法によって製本された、カバー、表紙などを含むいわゆる本ばかりではなく、ルーズリーフなどによって、各頁が一体化されたものも含める。
例えば、親が、書店、文房具店などの棚にあるいろいろな種類の合紙頁片から好きな合紙頁片を選び、適当な順に並べて、新たな物語を作成し、幼児あるいは幼い子供に提供することが可能である。
【発明の効果】
【００２５】
本発明の請求項1記載の発明によれば、略同寸法の前面部材と中芯部材と後面部材からなる合紙頁片において、前記前面部材は窓を一つ以上有し、前記中芯部材は、前記窓が含まれるような大きさで形成された中空部と前記前面部材と対向する面と前記後面部材と対向する面おのおのに形成される貼着部とを有し、さらに前記中芯部材は前記中空部に、前記中空部と左右方向の長さが略等しく、前記中空部の天地方向の長さより天地方向の長さが短く、前記中空部を天地方向に移動可能な移動部材を有し、前記移動部材は、前記前面部材の天又は地となる辺の一方を上にした状態で、前記前面部材の窓を通じて視認可能な位置に第１の情報が印刷され、前記前面部材の天又は地となる辺の他方を上にした状態では前記視認可能な位置から移動し、その状態で前記前面部材の窓を通じて視認可能な位置に第２の情報が印刷されてなる合紙頁片であるため、合紙頁片の天地を逆にすると、頁内の情報が天地逆になるばかりではなく、頁内の窓に新たな情報が表示されるので、合紙頁片単体でも見る者に予期せぬ驚きを提供することができる。
本発明でいう情報とは、絵であったり、文字であったり、あるいは絵と文字の組合せであったりする。
また、本発明の合紙頁片は、移動部材は自重で中空部内を移動するため、ニギリなど突起部は必ずしも必要ではない。幼児や幼い子供により、ニギリが壊れることがなく、また壊れた場合も自重で移動することも可能で、幼児や幼い子供は動きのある本を長期に渡ってたのしむことができるという優れた効果も奏する。
【００２６】
本発明の請求項２記載の発明によれば、略同寸法の前面部材と中芯部材と後面部材からなる合紙頁片において、前記前面部材は第１の窓を一つ以上有し、前記後面部材は第２の窓を一つ以上有し、前記中芯部材は、前記窓が含まれるような大きさで形成された中空部と前記前面部材と対向する面と前記後面部材と対向する面おのおのに形成される貼着部とを有し、さらに前記中芯部材は前記中空部に、前記中空部と左右方向の長さが略等しく、前記中空部の天地方向の長さより天地方向の長さが短く、前記中空部を天地方向に移動可能な移動部材を有し、前記移動部材は、前記前面部材の天又は地となる辺の一方を上にした状態で、前記前面部材の第１の窓を通じて視認可能な位置に第１の情報が、前記後面部材の第２の窓を通じて視認可能な位置に第２の情報が印刷され、前記前面部材の天又は地となる辺の他方を上にした状態では前記視認可能な位置から移動し、その状態で前記前面部材の第１の窓を通じて視認可能な位置に第３の情報が、前記後面部材の第２の窓を通じて視認可能な位置に第４の情報が印刷されてなる合紙頁片であるため、合紙頁片の天地を逆にすると、頁内の情報が天地逆になるばかりではなく、頁内の窓に新たな情報が表示されるので、合紙頁片単体でも見る者に予期せぬ驚きを表裏頁で提供することができる。
本発明でいう情報とは、絵であったり、文字であったりする。
また、本発明の合紙頁片は、移動部材は自重で中空部内を移動するため、ニギリなど突起部を持たないために、幼児や幼い子供により、ニギリが壊れることがないため、幼児や幼い子供は動きのある本を長期に渡ってたのしむことができるという優れた効果も奏する。
【００２７】
本発明の請求項３記載の発明によれば、前記中芯部材は、前記中芯部材の天、小口、地のいずれかに前記移動部材の出し入れ可能な前記移動部材入替手段を有するため、中芯部材の中空部にセットされる移動部材の入替が可能である。
例えば、移動部材に、文字が書かれていた場合、頁Ａに対応した移動部材ａ１は日本語で書かれ、頁Ａに対応した別の移動部材ａ２は英語で書かれ、頁Ａに対応した別の移動部材ａ３は中国語で書かれていれば、同じ物語を日本語、英語、中国語で読むことができ、幼児、幼い子供は同じ物語を日本語、英語、中国語で憶えることができるという優れた効果を奏する。
例えば、日本語で「いい天気ですね」は、英語では「Ｉｔ  ｉｓ  ａ  ｆｉｎｅ  ｄａｙ」、中国語では「是好的天气」ということである。
また、移動部材が書換え可能な素材でできていれば、幼児の親がオリジナルな文書を作成して、幼児との対話を本発明の本でたのしむことができ、また、幼児や幼い子供も憶えたての文字を使ったオリジナルな文字を書いてたのしむことができる。このようなに手段を有することにより、親とのコミュニケーション、友だちとのコミュニケーション手段ともなるという優れた作用効果も奏する。
【００２８】
本発明の請求項４記載の発明によれば、請求項１乃至３記載の合紙頁片を組み合わせることによってなる本であるため、請求項１〜３記載の合紙頁片の有する効果の他に、合紙頁片の組み合わせによって、新たな効果を生ずるために、本を逆にした時の効果は様々になる。
例えば、左綴の絵本の全ての頁に請求項１記載の合紙頁片を採用すれば、表表紙をめくって、本文を左頁から右頁と順々に絵本を読んで行き、裏表紙に達したら、絵本の天地を逆にすると、左綴の絵本となり、頁片内の移動部材が移動するために、はじめに左綴の絵本として読んでいた時には、偶数頁毎に表出していなかった情報が窓から表出することになり、１回読んだ頁で違った情報をたのしむことができるという優れた作用効果を奏する。
また、例えば、左綴の絵本の全ての頁に請求項２記載の合成頁片を採用すれば、表表紙をめくって、本文を左頁から右頁と順々に絵本を読んで行き、裏表紙に達したら、天地を逆にすると、左綴の絵本となり、頁片内の移動部材が移動するために、はじめに左綴の絵本として読んでいた時には、すべての頁において表出していなかった情報が窓から表出することになり、１回読んだ頁で違った情報をたのしむことができるという優れた作用効果を奏する。
本発明でいう情報とは、絵であったり、文字であったり、あるいは絵と文字の組合せであったりする。
また、本発明の本は、移動部材は自重で中空部内を移動するため、ニギリなど突起部を持たないために、幼児や幼い子供により、ニギリが壊れることがないため、幼児や幼い子供は動きのある本を長期に渡ってたのしむことができるという優れた効果も奏する。
本発明を本文だけではなく、カバー、表紙などに採用しても構わない。
【発明を実施するための最良の形態】
【００２９】
以下に、図面を参照にして本発明の実施形態を説明する。
【実施例１】
【００３０】
本発明の実施例１を図１〜８、実施例２を図９、実施例３を図１０に示している。
【００３１】
図１は、本発明の本をある物語が描かれた左綴じの絵本に適用した際の見開き状態の絵本（１）を示している。
絵本ということで、文字は、ひらがなを使用している。
図１では、左頁（合紙頁片の後面部材）（５）には、ふきだし内に「き・も・ちいい！！」という文字が、右頁（合紙頁片の前面部材）（３）には、くつろいでいる人の絵が描かれている。
左頁（５）は、本の地あるいは天に平行な四隅が丸みを帯びた長方形の窓（１５）を一つ有し、絵柄Ｂ（９）が描かれている。
左頁（５）は、絵柄Ｂ（９）と窓（１５）から見える絵柄ｃ（１２）が違和感なく見える。つまり、ふきだし内に「き・も・ちいい！！」が違和感なく見える。
また、右頁（３）は、本の地あるいは天に平行な同じ大きさの長方形の窓（１１）を三つ有し、絵柄Ａ（８）が描かれている。
右頁（３）は、絵柄Ａ（８）と窓（１４ａ、１４ｂ、１４ｃ）から見える絵柄ａ（１０ａ、１０ｂ、１０ｃ）が違和感なく見える。つまり、湯船で頭にタオルを乗せくつろいでいる人が違和感なく見える。
【００３２】
図２は、図１に示した絵本（１）の右頁（３）の合紙頁片（２）を示している。
合紙頁片（２）の窓（１４ａ、１４ｂ、１４ｃ）から移動部材（６）に描かれた絵柄ａ（１０）と絵柄ｂ（１１）のうち絵柄ａ（１０）が合紙頁片（２）の絵柄Ａ（８）と違和感なく見える。つまり、くつろいでいる人が違和感なく見える。
【００３３】
図３は、図１に示した絵本（１）の右頁（３）の合紙頁片（２）の構造を示している。
前面部材（３）は、前面部材（３）の地あるいは天に平行な同じ大きさの長方形の窓（１１）を三つ有している。
中芯部材（４）は、中空部（７）と貼着面（１６）とを有している。
中芯部材（４）の貼着面（１６）には、糊等の圧着性の接着剤が塗られ、前面部材（３）の対応する部分と後面部材（５）の対応する部分と貼着される。
移動部材（６）は、中芯部材（４）の中空部（７）と横方向の長さはほぼ一致し、移動できないが縦方向の長さは中芯部材（４）の中空部（７）で移動が可能な程度短くなっている。
【００３４】
図４は、図１に示した絵本（１）の右頁（３）の合紙頁片（２）の構造のうち、中芯部材（４）と移動部材（６）の関係をわかりやすくしたものである。
移動部材（６）は、上から絵柄ａ（１０ａ）、天地逆の絵柄ｂ（１１ｃ）、絵柄ａ（１０ｂ）、天地逆の絵柄ｂ（１１ｂ）、絵柄ａ（１０ｃ）、天地逆の絵柄ｂ（１１ａ）と交互に描かれている。絵柄ａ（１０ａ）は、絵本（１）が正体で窓（１４ａ）から見える位置に描かれ、絵柄ａ（１０ｂ）は、絵本（１）が正体で窓（１４ｂ）から見える位置に描かれ、絵柄ａ（１０ｃ）は、絵本（１）が正体で窓（１４ｃ）から見える位置に描かれ、絵柄ｂ（１１ａ）は、本（１）の天地を逆にした時に窓（１４ｃ）から見える位置に描かれ、絵柄ｂ（１１ｂ）は、本（１）の天地を逆にした時に窓（１４ｂ）から見える位置に描かれ、絵柄ｂ（１１ｃ）は、本（１）の天地を逆にした時に窓（１４ａ）から見える位置に描かれている。
移動部材（６）は、裏面にも絵柄を設けても構わない。
また、移動部材（６）は、裏面に絵柄を設ける場合は、後面部材（５）に、窓を設けて情報が視認可能なように構成する。
【００３５】
図５は、図１に示した絵本（１）の天地を逆にした場合の見開き状態を示している。
本の天地を逆にしたことにより、合紙頁片内の移動部材（６）が中空部（７）内を下方向に移動したことにより、窓（１４ａ、１４ｂ、１４ｃ）、（１５）に絵柄（１１ｃ、１１ｂ、１１ａ）、（１３）が表示された。
図５では、右頁（３）には帽子を被りサングラスをした人の絵が、左頁（５）にはふきだし内に「おっほん！！」という文字が描かれている。
左頁（５）は、本の地あるいは天に平行な四隅が丸みを帯びた長方形の窓（１５）を一つ有し、絵柄Ｂ（９）が描かれている。
左頁（５）は、絵柄Ｂ（９）と窓（１５）から見える絵柄ｄ（１３）が違和感なく見える。つまり、ふきだし内に「おっほん！！」が違和感なく見える。
また、右頁（３）は、本の地あるいは天に平行な同じ大きさの長方形の窓（１４）を三つ有し、絵柄Ａ（８）が描かれている。つまり、帽子を被りサングラスをした人が違和感なく見える。
右頁（３）は、絵柄Ａ（８）と窓（１４ｃ、１４ｂ、１４ａ）から見える絵柄ｂ（１１ａ、１１ｂ、１１ｃ）が違和感なく見える。
【００３６】
図６は、絵本（１）の天地を逆にした場合の合紙頁片（２）を示している。
合紙頁片（２）の窓（１４ｃ、１４ｂ、１４ａ）から移動部材（６）に描かれた絵柄ａ（１０ｃ、１０ｂ、１０ａ）と絵柄ｂ（１１ａ、１１ｂ、１１ｃ）のうち絵柄ｂ（１１ａ、１１ｂ、１１ｃ）が合紙頁片（２）の絵柄Ａ（８）と一体となり、違和感なく見える。
【００３７】
図７は、本発明の本（１）の天地を逆にした場合の合紙頁片（２）の構造を示している。
前面部材（３）は、地あるいは天に平行な同じ大きさの長方形の窓（１１）を三つ有している。
中芯部材（４）は、中空部（７）と貼着面（１６）とを有している。
中芯部材（４）の貼着面（１６）には、糊等の圧着性の接着剤が塗られ、前面部材（３）の対応する部分と後面部材（５）の対応する部分と貼着される。
移動部材（６）は、中芯部材（４）の中空部（７）と横方向の長さはほぼ一致するが縦方向の長さは中芯部材（４）の中空部（７）で移動が可能な程度短くなっている。
【００３８】
図８は、図５の本発明の本（１）の合紙頁片（２）の構造のうち、中芯部材（４）と移動部材（６）の関係をわかりやすくしたものである。
移動部材（６）は、上から絵柄ｂ（１１ａ）、天地逆の絵柄ａ（１０ｃ）、絵柄ｂ（１１ｂ）、天地逆の絵柄ａ（１０ｂ）、絵柄ｂ（１１ｃ）、天地逆の絵柄ａ（１０ａ）と交互に描かれている。
絵柄ａ（１０ａ）は、絵本（１）が正体で窓（１４ａ）から見える位置に描かれ、絵柄ａ（１０ｂ）は、絵本（１）が正体で窓（１４ｂ）から見える位置に描かれ、絵柄ａ（１０ｃ）は、絵本（１）が正体で窓（１４ｃ）から見える位置に描かれ、絵柄ｂ（１１ａ）は、本（１）の天地を逆にした時に窓（１４ｃ）から見える位置に描かれ、絵柄ｂ（１１ｂ）は、本（１）の天地を逆にした時に窓（１４ｂ）から見える位置に描かれ、絵柄ｂ（１１ｃ）は、本（１）の天地を逆にした時に窓（１４ａ）から見える位置に描かれている。
移動部材（６）は、裏面にも絵柄を設けても構わない。
また、移動部材（６）は、裏面に絵柄を設ける場合は、後面部材（５）に、窓を設けても構わない。
【００３９】
図９（ａ）〜（ｃ）は、中芯部材（４）に移動部材差替手段（１７）を設けた場合の斜視図である。
中芯部材（４）の天に移動部材差替手段（１７）を設けた実施例であるが、移動部材差替手段（１７）は天部のみではなく、側部（小口側）、地部に設けても構わないが、設ける場合は、中空部（７）を有する中芯部材（４）の強度を保つことから１箇所とする。
移動部材差替手段（１７）を設けることにより、移動部材（６）の差替が可能になる。
図９（ａ）〜（ｃ）は、中芯部材の開口部（１８）の形状とそれに対応した蓋部（１９）の形状の変えた実施例の一部を示している。
【００４０】
図１０（ａ）〜（ｃ）は、移動部材（６）に文字を描いた場合の実施例を示している。図１０（ａ）は絵柄ｅをセットした状態を、図１０（ｂ）は絵柄ｆをセットした状態を、図１０（ｃ）は絵柄ｇをセットした状態をそれぞれ示している。
【００４１】
実施例で示した前面部材（３）、後面部材（５）の材料としては、王子製紙（株）  ＵＦコート、ＯＫボール、サンコート、レンゴー（株）  ＣＲＣ、北越製紙（株）  マリコート、日本大昭和板紙（株）  ＪＥＴスターなどの所謂コートボールや、三菱製紙（株）  ハイパール、北越製紙（株）  ハイクリーンコート、日本大昭和板紙（株）  リファイン、北越製紙（株）  Ｎｅｗ−ＤＶ、王子製紙  Ｎｅｗビジョン、ＰＣグリーン１００、日本大昭和板紙（株）  ＪＥＴエースなどの所謂マニラボールのカード、あるいは、透明シートを使用する。透明シートを使用すれば、本の窓から幼児や幼い子供が指を入れることもなくなる。
前面部材（３）、後面部材（５）の絵柄を有さない面、つまり、中芯部材（４）側の面の中芯部材（４）の貼着面（１６）以外の部分は、ニス引きなどを施して滑りやすくしても構わない。
【００４２】
実施例で示した中芯部材（４）の材料としては、チップボール等厚みと強度のある素材を使用する。
【００４３】
実施例で示した移動部材（６）の材料としては、チップボールもしくは質量のある素材を使用する。
また、移動部材（６）の両面にはニス引きなどを施して滑りやすくしても構わない。
【００４４】
実施例の絵柄は、一般・商用印刷で使用される印刷機、家庭で使用される各種プリンター、手書きなど適切なものを選択し描ければよい。
【図面の簡単な説明】
【００４５】
本発明の本は、実施例の記載に限定されることなく、本発明の要旨を逸脱しない範囲内で種々の変形が可能である。
本発明の本の合紙頁片は、本文のみではなく、表紙、カバー等にも実施可能である。
【図１】本発明の実施例１に係る絵本の見開き状態の平面図
【図２】図１の右頁の合紙頁片の平面図
【図３】図１の右頁の合紙頁片の構造図
【図４】図１の右頁の合紙頁片の中芯部材と移動部材の関係図
【図５】本発明の実施例１に係る絵本の天地を逆にした場合の平面図
【図６】本発明の実施例１に係る絵本の合紙頁片の天地を逆にした場合の平面図
【図７】本発明の実施例１に係る合紙頁片の構造の天地を逆にした場合の平面図
【図８】本発明の実施例１に係る中芯部材と移動部材の天地を逆にした場合の関係の平面図
【図９】本発明の実施例２に係る中芯部材に移動部材差替手段を設けた場合の平面図
【図１０】本発明の実施例３に係る合紙頁片の移動部材の差替を実施した平面図
【符号の説明】
【００４６】
１…絵本
２…合紙頁片
３…右頁（前面部材）
４…中芯部材
５…左頁（後面部材）
６…移動部材
７…中空部
８…絵柄Ａ
９…絵柄Ｂ
１０ａ、１０ｂ、１０ｃ…絵柄ａ
１１ａ、１１ｂ、１１ｃ…絵柄ｂ
１２…絵柄ｃ
１３…絵柄ｄ
１４ａ、１４ｂ、１４ｃ…窓
１５…窓
１６…貼着部
１７…移動部材入替手段
１８…開口部
１９…蓋部
２０…窓
２１…絵柄Ｃ
２２…絵柄ｅ
２３…絵柄ｆ
２４…絵柄ｇ
【図１】
2009000899.tif 000003
【図２】
2009000899.tif 000004
【図３】
2009000899.tif 000005
【図４】
2009000899.tif 000006
【図５】
2009000899.tif 000007
【図６】
2009000899.tif 000008
【図７】
2009000899.tif 000009
【図８】
2009000899.tif 000010
【図９】
2009000899.tif 000011
【図１０】
2009000899.tif 000012